(57)【特許請求の範囲】
【請求項１】
通信・情報処理機器を上下方向に搭載したラックが整列してラック列をなし、当該ラック列が複数設置されている機器室を空調するシステムであって、
前記ラックの吸い込み面に向けて冷気を吹き出し、その冷気を前記ラック内に回り込ませて上流側から下流側に向けて流し、前記通信・情報処理機器の冷却を終えて下流側から排出される使用済み空気を吸い込み、冷却処理をして再び前記ラックの吸い込み面に向けて吹き出す冷気を生成するための高顕熱型の室内機を前記機器室の天井に複数台を吊り下げて設置し、かつ該複数台の室内機を該室内機の台数よりも少ない数の室外機に各々接続してなる天井設置型マルチエアコンと、該エアコンの駆動を制御するコントローラと、を設け、
前記各室内機は、隣接配置されると共に、平面視略正方形状形成された箱形筐体内に熱交換器が設置され、該熱交換器は前記機器室内の側面を向いた４側面に各々上記使用済み冷気を側方から中央に向けて吸い込むように設けてなるとともに、前記各室内機同士の熱交換器面が正対向しないように該各熱交換器を各々平面視所定角度回転させて設けてなることを特徴とする通信・情報処理機器室等の空調システム。
【請求項２】
上記コントローラは、上記各室内機が上記ラックの吸い込み面に向けて吹き出す冷気の風量を、上記ラック内を通って下流側から排出される使用済み空気の排出量よりも大きくなるように、前記各室内機を制御してなることを特徴とする請求項１記載の通信・情報処理機器室等の空調システム。
【請求項３】
上記各室内機は、除湿を必要とする場合に除湿運転に切り換え可能なことを特徴とする請求項１または請求項２記載の通信・情報処理機器室等の空調システム。
【請求項４】
上記箱形筐体は上記ラックの吸い込み面を向いた傾斜パネル面に上記冷気を吹き出す冷気吹き出し口を設けてなることを特徴とする請求項１記載の通信・情報処理機器室等の空調システム。
【請求項５】
上記コントローラは、上記機器室内の発熱量分布の変動に対して上記各室内機を個々に能力制御可能に構成されてなることを特徴とする請求項１，２，３または４記載の通信・情報処理機器室等の空調システム。
【請求項６】
上記コントローラは、上記機器室内の発熱量分布の変動に対して上記各室内機を個々に送風量制御可能に構成されてなることを特徴とする請求項１，２，３，４または５記載の通信・情報処理機器室等の空調システム。
【請求項７】
上記コントローラは、上記ラックの吸い込み面に向けて吹き出す冷気の温度及び上記ラック内への上部の回り込み気流の温度を各々検出して前記各室内機の送風量を個々に制御することを特徴とする請求項６記載の通信・情報処理機器室等の空調システム。
【請求項８】
上記機器室内の天井にチャンバーを設け、該天井面に設けた吹き出し口からラックの吸い込み面に向けて冷気を吹き出すとともに、室内から帰る空気を天井面に設けた吸込口から前記天井チャンバーを通して前記各室内機内に吸い込み、該天井チャンバーをレタンチャンバーとして前記各室内機に戻すように構成してなる請求項１，２，３，４，５，６または７記載の通信・情報処理機器室等の空調システム。
【請求項９】
上記各室内機は、カセット化されて前記チャンバーに脱着可能に取り付けられてなることを特徴とする請求項８記載の通信・情報処理機器室等の空調システム。
【発明の詳細な説明】
【技術分野】
【０００１】
本発明は通信・情報処理用電子機器室等の空調システムに関するものであり、特に、通信・情報処理用の電子機器等、発熱密度の高い電子機器が複数配置されている通信・情報処理用電子機器室等の空調システムに関するものである。
【背景技術】
【０００２】
研究所のコンピュータ室やデータセンター等、通信・情報処理用のコンピュータ(以下、「電子機器」という)を多数設置している施設の電子機器室では、該電子機器から放出される熱で室温が上昇し、高温に上昇した熱で該電子機器が暴走、あるいは、故障したりすることがある。このため、一般に、電子機器室には部屋全体の温度を一定に維持しておく空調システムが採用されている(特許文献１)。
【０００３】
図１０及び図１１に、特許文献１等で知られる従来におけるサーバ室の空調システムの一例を示す。同図において、従来における電子機器室の空調システムは、電子機器室５１内に、複数台の電子機器５２，５２，５２，５２を上下方向に積層搭載したラック５３，５３…を複数個一列に並べてなるラック列５４が複数列設置されているとともに、同じく電子機器室５１内に該電子機器室５１の部屋全体の温度を一定に維持するための複数の空調装置５５，５５…が、床上に設置されている。
【０００４】
また、図１１に示すように、前記電子機器室５１には、床下に空気取り入れ口５６と空気排出口５７を有する風道としての空気流通空間５８を設け、天井に空気取り入れ口５９と空気排出口６０を有する同じく風道としての空気流通空間６１を設けている。
【０００５】
そして、この空調システムは、各空調装置５５，５５…で生成された冷風が、空気取り入れ口５６，空気流通空間５８，空気排出口５７を順に通って床下から電子機器室５１内に吹き出され、その冷気が各電子機器５２，５２…の内部に流れて各電子機器５２，５２…を冷却する。一方、各電子機器５２，５２…内で熱交換をして排出されて来る温められた使用済みの空気は、天井側の空気取り入れ口５９，空気流通空間６１，空気排出口６０を順に通って空調装置５５内に戻され、冷却されて再び電子機器５２,５２…に送り出される。したがって、この空気循環により部屋全体の空調が行われる。
【先行技術文献】
【特許文献】
【０００６】
【特許文献１】特開２００３−５６８８２号公報。
【発明の概要】
【発明が解決しようとする課題】
【０００７】
しかしながら、上述した従来における通信・情報処理用電子機器室等の空調システムでは、電子機器室の床上に空調装置を設置しているため、ラックの設置スペース以外に空調装置の設置スペースも必要となり、全体として大きな設置スペースを必要とするという問題点があった。
【０００８】
また、床下に空気取り入れ口と空気排出口を有する空気流通空間を設けているので、ラックのレイアウト変更や増設を行うような場合に、空調装置からの冷風の到達距離や気流分布を考慮して設置しなければならない。このため、設置に対して制限を受けると言う問題点や、空調効率が悪くなって無駄な電力エネルギーを消費するという問題点があった。
【０００９】
さらに、床下を二重構造にしなければならないので、構造が複雑化し、設備コストが高くなるという問題点があった。
【００１０】
そこで、電子機器室の空調効率を向上させて電子機器の熱負荷を低減させるとともに、無駄な電力エネルギーの消費をなくして省エネ化に寄与し、かつ小型で安価な空調システムを得ることができるようにするために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、通信・情報処理機器を上下方向に搭載したラックが整列してラック列をなし、当該ラック列が複数設置されている機器室を空調するシステムであって、前記ラックの吸い込み面に向けて冷気を吹き出し、その冷気を前記ラック内に回り込ませて上流側から下流側に向けて流し、前記通信・情報処理機器の冷却を終えて下流側から排出される使用済み空気を吸い込み、冷却処理をして再び前記ラックの吸い込み面に向けて吹き出す冷気を生成するための高顕熱型の室内機を前記機器室の天井に複数台を吊り下げて設置し、かつ該複数台の室内機を該室内機の台数よりも少ない数の室外機に各々接続してなる天井設置型マルチエアコンと、該エアコンの駆動を制御するコントローラと、を設け、前記各室内機は、隣接配置されると共に、平面視略正方形状形成された箱形筐体内に熱交換器が設置され、該熱交換器は前記機器室内の側面を向いた４側面に各々上記使用済み冷気を側方から中央に向けて吸い込むように設けてなるとともに、前記各室内機同士の熱交換器面が正対向しないように該各熱交換器を各々平面視所定角度回転させて設けた通信・情報処理機器室等の空調システムを提供する。
【００１２】
この構成によれば、エアコンの室内機は、機器室の天井に設置しているので、床面側のスペースにはさほど影響を与えることなく、所定の位置に複数台設けることができる。また、その各室内機からラックの吸い込み面に向けて冷気を吹き出し、これをラック内に通して通信・情報処理機器を冷却し、さらに通信・情報処理機器の冷却を済ませた使用済み空気を室内機が吸い込み、この空気を冷却処理して再びラックの吸い込み面に向けて吹き出すようにし、機器室内だけで空気の冷却処理を行うことができる。したがって、床面や天井を二重構造にすることなく、空調処理を行うことができる。また、各室内機をそれぞれ平面視所定角度回転させ、各室内機同士の側面が正対向しないようにして各室内機を設置することにより、各室内機が使用済み空気を吸い込む量を増加させることができ、使用済み空気の帰りをスムーズにすることができる。
【００１３】
請求項２記載の発明は、請求項１記載の構成において、上記コントローラは、上記各室内機が上記ラックの吸い込み面に向けて吹き出す冷気の風量を、上記ラック内を通って下流側から排出される使用済み空気の排出量よりも大きくなるように、前記各室内機を制御してなる通信・情報処理機器室等の空調システムを提供する。
【００１４】
この構成によれば、各室内機がラックの吸い込み面に向けて吹き出す冷気の風量を、ラック内を通って下流側から排出される使用済み空気の排出量よりも大きく設定することにより、吹き出し側(上流側)が高圧で吸い込み側が低圧となるため、各室内機から吹き出された冷気がラック内を通らずにバイパスして各室内機側に戻る、あるいは使用済みの空気が吸い込み側へ戻らずにバイパスして吹き出し側に戻るのを防ぐことができる。
【００１５】
請求項３記載の発明は、請求項１または２記載の構成において、上記各室内機は、除湿を必要とする場合に除湿運転に切り換え可能な通信・情報処理機器室等の空調システムを提供する。
【００１６】
この構成によれば、高顕熱処理だけでなく、空調立ち上げ時等、除湿が必要な場合にモード切り替え等により、除湿運転を行うことができる。
【００１９】
請求項４記載の発明は、請求項４記載の構成において、上記箱形筐体は上記ラックの吸い込み面を向いた傾斜パネル面に上記冷気を吹き出す冷気吹き出し口を設けてなる通信・情報処理機器室等の空調システムを提供する。
【００２０】
この構成によれば、各室内機の傾斜パネル面の吹き出し口から冷気がラックの吸い込み面に向けてスムーズに吹き出され、冷気の循環をスムーズにすることができる。
【００２１】
請求項５記載の発明は、請求項１，２，３または４記載の構成において、上記コントローラは、上記機器室内の発熱量分布の変動に対して上記各室内機を個々に能力制御可能に構成されてなる通信・情報処理機器室等の空調システムを提供する。
【００２２】
この構成によれば、機器室内の発熱量分布の変動に対して、各室内機を個々に能力制御することにより、機器室内の温度をより細かく調整することができる。
【００２３】
請求項６記載の発明は、請求項１，２，３，４または５記載の構成において、上記コントローラは、上記機器室内の発熱量分布の変動に対して上記各室内機を個々に送風量制御可能に構成されてなる通信・情報処理機器室等の空調システムを提供する。
【００２４】
この構成によれば、機器室内の発熱量分布の変動に対して、各室内機による送風量を個々に制御することにより、機器室内の温度をより細かく調整することができる。
【００２５】
請求項７記載の発明は、請求項６記載の構成において、上記コントローラは、上記ラックの吸い込み面に向けて吹き出す冷気の温度及び上記ラック内への上部の回り込み気流の温度を各々検出して前記各室内機の送風量を個々に制御する通信・情報処理機器室等の空調システムを提供する。
【００２６】
この構成によれば、機器室内におけるラックの吸い込み面に向けて吹き出す冷気の温度及びラック内への回り込み気流の温度の変動に対して、各室内機による送風量を個々に制御することにより、機器室内の温度をより細かく調整することができる。
【００２７】
請求項８記載の発明は、請求項１，２，３，４，５，６または７記載の構成において、上記機器室内の天井にチャンバーを設け、該天井面に設けた吹き出し口からラックの吸い込み面に向けて冷気を吹き出すとともに、室内から帰る空気を天井面に設けた吸込口から前記天井チャンバーを通して前記各室内機内に吸い込み、該天井チャンバーをレタンチャンバーとして前記各室内機に戻すように構成してなる通信・情報処理機器室等の空調システムを提供する。
【００２８】
この構成によれば、機器室内の使用済み空気を、天井のチャンバーを通して各室内機内へスムーズに戻すことができる。
【００２９】
請求項９記載の発明は、請求項８記載の構成において、上記各室内機は、カセット化されて前記チャンバーに脱着可能に取り付けられてなる通信・情報処理機器室等の空調システムを提供する。
【００３０】
この構成によれば、各室内機をチャンバーに脱着させることにより、取り付け及び交換等が自由にできる。
【発明の効果】
【００３１】
請求項１記載の発明は、エアコンの室内機を機器室の天井に設置しているので、複数台の室内機を機器室内にコンパクトに設置することができる。これにより、機器室の小型化が期待できる。また、床面及び天井面を二重構造とせずに、機器室内だけで空気の冷却処理を行うことができるので、室内機を設置する際及び通信・情報処理機器を設置する際の制限を少なくすることができる。さらに、構造の簡略化及び設備コストの低減が期待できるとともに、空調効率の向上が期待できる。また、各室内機に対し使用済み冷気の帰還をスムーズに行うことができるので、空調効率の向上がさらに期待できる。
【００３２】
請求項２記載の発明は、各室内機から吹き出された冷気が、ラック内を通らずにバイパスして各室内機側に戻る、あるいは使用済みの空気が吸い込み側へ戻らずにバイパスして吹き出し側に戻るのを防ぐことができるので、さらに空調効率の向上が期待できる。
【００３３】
請求項３記載の発明は、空調立ち上げ時等、除湿が必要な場合に除湿運転を行うことができるので、機器室全体の環境をより良い状態に維持しておくことができる。
【００３５】
請求項４記載の発明は、ラックの吸い込み面に向けて、各室内機の傾斜パネル面の吹き出し口から冷気がスムーズに吹き出されて循環をすることができるので、さらに空調効率の向上が期待できる。
【００３６】
請求項５記載の発明は、機器室内の発熱量分布の変動に対して各室内機の能力を個々に制御し、機器室内の温度をより細かく調節することができるので、さらに空調効率の向上が期待できる。
【００３７】
請求項６記載の発明は、機器室内の発熱量分布の変動に対して各室内機の送風量を個々に制御し、機器室内の温度をより細かく調節することができるので、さらに空調効率の向上が期待できる。
【００３８】
請求項７記載の発明は、機器室内におけるラックの吸い込み面に向けて吹き出す冷気の温度及びラック内への回り込み気流の温度の変動に対して各室内機の送風量を個々に制御し、機器室内の温度をより細かく調節することができるので、さらに空調効率の向上が期待できる。
【００３９】
請求項８記載の発明は、機器室内の使用済み空気を、天井チャンバーを介して各室内機へスムーズに戻すことができるので、さらに空調効率の向上が期待できる。
【００４０】
請求項９記載の発明は、各室内機をチャンバーに対して自由に脱着させることができるので、取り付け及び交換等が簡単になり、作業性の向上が期待できる。
【図面の簡単な説明】
【００４１】
【図１】本発明に係る通信・情報処理機器室等の空調システムの一実施形態例を模式的に示す側面図。
【図２】図１のＡ−Ａ線矢視方向より見た側面図。
【図３】室内機設置の一例を示す平面図。
【図４】室内機設置の変形例を示す平面図。
【図５】室内機設置の更に他の変形例を示す平面図。
【図６】室内機設置の更に他の変形例を示す平面図。
【図７】上記空調システムに除湿運転を可能にする機能を付加した実施例を説明する図。
【図８】上記空調システムに発熱量分布の変動に対して室内機の制御を行う機能を付加した実施例を説明する図。
【図９】上記空調システムにラック吸い込み温度及びラック上部の回り込み気流の温度を検出して室内機の風量制御を行う機能を付加した実施例を説明する図。
【図１０】従来の通信・情報処理機器室等の空調システムの概要を説明する平面図。
【図１１】従来の通信・情報処理機器室等の空調システムの概要を説明する側面図。
【発明を実施するための最良の形態】
【００４２】
本発明は電子機器室の空調効率を向上させてサーバの熱負荷を低減させるとともに、無駄な電力エネルギーの消費をなくして省エネ化に寄与し、かつ小型で安価な空調システムを得るという目的を達成するために、通信・情報処理機器を上下方向に搭載したラックが整列してラック列をなし、当該ラック列が複数設置されている機器室を空調するシステムであって、前記ラックの吸い込み面に向けて冷気を吹き出し、その冷気を前記ラック内に回り込ませて上流側から下流側に向けて流し、前記通信・情報処理機器の冷却を終えて下流側から排出される使用済み空気を吸い込み、冷却処理をして再び前記ラックの吸い込み面に向けて吹き出す冷気を生成するための高顕熱型の室内機を前記機器室の天井に複数台を吊り下げて設置し、かつ該複数台の室内機を該室内機の台数よりも少ない数の室外機に各々接続してなる天井設置型マルチエアコンと、該エアコンの駆動を制御するコントローラと、を設け、前記各室内機は、隣接配置されると共に、平面視略正方形状形成された箱形筐体内に熱交換器が設置され、該熱交換器は前記機器室内の側面を向いた４側面に各々上記使用済み冷気を側方から中央に向けて吸い込むように設けてなるとともに、前記各室内機同士の熱交換器面が正対向しないように該各熱交換器を各々平面視所定角度回転させて設けたことにより実現した。
【００４３】
以下、本発明の実施形態による通信・情報処理機器室等の空調システムについて図面を参照しながら説明する。
【実施例】
【００４４】
図１及び図２は本発明に係る通信・情報処理機器室等の空調システムの一実施の形態を模式的に示すもので、図１はその側面図、図２は図１のＡ−Ａ線矢視方向より見た側面図である。
【００４５】
同図において、この空調システムは、通信・情報処理機器室１１(以下、単に「機器室１１」という)内の床部１１ａに、サーバ等の通信・情報処理機器１２(以下、単に「電子機器１２」という)を各々上下方向に多段に積層搭載してなるラック１３の列がＬ１〜Ｌ４の４列配設されている。そのラック列Ｌ１とＬ２間、及びラック列Ｌ３とＬ４間には、各々通路空間部１４が形成されている。また、ラック列Ｌ２とＬ３間、及び、ラック列Ｌ１と機器壁部１１ｂ間、並びにラック列Ｌ４と機器壁部１１ｂ間には、各々通路空間部１５が形成されている。
【００４６】
なお、前記通路空間部１４及び前記通路空間部１５の幅は、通常１２００ｍｍ程度である。また、本実施の形態では、ラック列１列毎に各ラック１３の前面または背面同士が向かい合う形をとっているが、このように前記通路空間部１４に各ラック１３の前面同士が向かい合うように設置することが望ましい。
【００４７】
一方、前記機器室１１の天井部１１ｃには、該天井部１１ｃから吊り下げられた状態にして、天井設置型マルチエアコン１６の室内機１６ａが設けられている。該室内機１６ａは、前記通路空間１４に沿って列をなすようにして、その通路空間１４毎に複数台配設されている。
【００４８】
前記エアコン１６は、前記室内機１６ａ，１６ａ…と、前記機器室１１の外部に設置されている室外機１６ｂを有し、該室内機１６ａ，１６ａ…と該室外機１６ｂとの間が冷媒配管１６ｃで接続されている。そして、冷媒は、冷媒流量を調節するための電子膨張弁１６ｄを各々介して、前記室内機１６ａ，１６ａ…の熱交換器２０ａと前記室外機１６ｂの冷却コイル１６ｅに供給される。また、前記冷媒配管１６ｃは、例えば天井部１１ｃの内側に取り付けられたパネル１７と該天井部１１ｃとの間に形成された天井空間１８内を通って配設されており、１台の室外機１６ｂに対して数台の室内機１６ａ，１６ａ…を接続可能になっている。そして、該エアコン１６は、１台の室外機１６ｂに対して数台の室内機１６ａ，１６ａ…を接続して、高顕熱型のマルチエアコンとして構成されている。
【００４９】
前記天井部１１ｃから吊り下げられた各室内機１６ａ，１６ａ…は、前記通路空間１４，１４に沿って列をなすようにして、その通路空間１４，１４毎に複数台配設されている。また、これら各室内機１６ａ，１６ａ…と前記ラック列Ｌ１〜Ｌ４とは構造的に分離して設置されており、各室内機１６ａ，１６ａ…と各ラック列Ｌ１〜Ｌ４の間は開放空間となっている。
【００５０】
なお、前記各室内機１６ａ，１６ａ…は、前記ラック１３の前面に有するラック吸い込み面１３ａに対向している傾斜パネル面に冷気吹き出し口１９を有し、４つの側面に前記機器室１１の上部空間における高温空気を取り入れる吸気口２０を各々有してなる箱形をした筐体２１を備え、該箱形筐体２１内に上記熱交換器２０ａと送風機２２を配設している。
【００５１】
また、前記各室内機１６ａ，１６ａ…は、図３あるいは図４に示すように該各室内機１６ａ，１６ａ同士の側面に設けた熱交換器２０ａがそれぞれ正対向しないように、該各熱交換器２０ａ，２０ａ…を各々平面視所定角度回転させて設けている。こうすることにより、該各室内機１６ａ，１６ａ…における熱交換器２０ａ，２０ａ…は、４つ全ての口が常に開放された状態におかれて、前記機器室１１の上部空間における高温空気を該各室内機における熱交換器２０ａ，２０ａ…へスムーズに取り入れることができるようになっている。
【００５２】
なお、前記各室内機１６ａ，１６…の設置は、この構造に限られることなく、色々なバリエーションが可能であり、例えば図５あるいは図６に示すような構成も可能である。すなわち、図５あるいは図６に示す構成は、各熱交換器２０ａ，２０ａ…を各々平面視所定角度回転させて設けた各室内機１６ａ，１６ａ…の整列設置の方法について、該各室内機１６ａ，１６ａ，…の間に空間を設けている。
【００５３】
次に、このように構成された空調システムの動作を説明する。前記エアコン１６が駆動されると前記送風機２２が回転し、内部冷却コイルで冷却処理された冷気が該送風機２２で生起される風に乗り、前記冷気吹き出し口１９を通って前記ラック１３の前面に有するラック吸い込み面１３ａに向けて吹き出す。該ラック吸い込み面１３ａに向けて吹き出された冷気は、前記ラック１３内を通って前記通路空間１５側に向かって流れ、このとき該ラック１３内の前記電子機器１２の熱を奪って該電子機器１２を冷却する。
【００５４】
また、前記電子機器１２の熱を奪って温められ前記通路空間１５に排出された空気は、各室内機１６ａ，１６ａ…の吸気口２０，２０…を通って各室内機１６ａ，１６ａ内に吸い込まれる。そして、該各室内機１６ａ，１６ａ…内の各熱交換器２０ａ，２０ａ…で冷却処理され、その後、前記送風機２２で生起される風に乗せられ、前記冷気吹き出し口１９を通って前記ラック吸い込み面１３ａに向けて再び送り出される。この空気の循環により機器室１１内全体の空調が行われる。
【００５５】
なお、本実施の形態例では、各室内機１６ａ，１６…が間前記ラック列Ｌ１とＬ２の各ラック吸い込み面１３ａ、及び前記ラック列Ｌ３とＬ４の各ラック吸い込み面１３ａに吹き出される風量、すなわち前記各通路空間１４に面する前記ラック吸い込み面１３ａに向けて吹き出される送風量は、前記ラック１３内を通って下流側、すなわち前記通路空間１５内に排出される使用済み冷気の排気量よりも大きくなるように設定してある。この調節はコントローラ２３により制御される。
【００５６】
このように、前記各室内機１６ａ，１６ａ…が前記各通路空間１４に面する前記ラック吸い込み面１３ａに向けて吹き出す風量を、ラック１３内を通って下流側から排出される使用済み空気の排気量よりも大きく設定すると、吹き出し側(上流側)が高圧で、吸い込み側が低圧となるため、各室内機１６ａ，１６ａから吹き出された冷気が、ラック１３内を通らずにバイパスして各室内機１６ａ，１６ａ…側に戻る漏れ冷気２４ａ(図１参照)、あるいは使用済みの空気が吸気口２０，２０…へ戻らずにバイパスして吹き出し側の各通路空間１４，１４内漏れ冷気に戻る漏れ冷気２４ｂ(図１参照)を防ぐことができる。このとき、例えば、吹き出し側の各通路空間１４のラック高さから床面までの間にカーテンあるいは開閉扉を設けて、これを閉鎖することにより、バイパス防止の効果を一層高めることができる。
【００５７】
したがって、本実施の形態例による空調システムによれば、前記エアコン１６の前記室内機１６ａ，１６ａ…を前記機器室１１の天井部１１ｃに設置しているので、複数台の室内機１６ａ，１６ａ…を該機器室１１内にコンパクトに設置することができ、該機器室の小型化が期待できる。また、床部１１ａを二重構造とせずに、前記機器室１１内だけで冷気の冷却処理を行うことができるので、前記室内機１６ａ…１６ａ…を設置する際の制限を少なくすることができる。
【００５８】
なお、上記空調システムでは、上記基本構成に加えて、以下に説明する実施例の構成を付加することも可能である。
【００５９】
図７は、上記高顕熱運転を行う基本構成において、空調の立ち上げ時等、除湿が必要となる場合、前記コントローラ２３によるモードの切り換えにより除湿運転を可能にする機能を付加した実施例を示す。図７では、前記室内機１６ａ，１６ａ…の周辺に前記吸気口２０から吸い込む使用済み冷気の温度を検出する吸い込み温度センサＴ１と、同じく前記吸気口２０から吸い込む使用済み冷気の湿度を検出する吸い込み湿度センサＷを設けるとともに、前記冷媒配管１６ｃに冷媒温度センサＴ２を設け、各センサＴ１、Ｔ２、Ｗの各情報を前記コントローラ２３に送るように構成している。そして、前記コントローラ２３では、各センサＴ１、Ｔ２、Ｗの各情報から、空調の立ち上げ時等、除湿を必要とする場合に運転モードを切り換え、除湿運転を予め設定された時間行い、また除湿を必要としなくなったら高顕熱処理運転に切り替えるようにする。
【００６０】
図８は、上記基本構成において、前記機器室１１内の発熱量分布の変動に対して室内機１６ａ，１６ｂ…の制御を１台毎に行う機能を付加した実施例を示す。図８では、前記室内機１６ａ，１６ａ…の周辺に前記吸気口２０から吸い込む使用済み冷気の温度を検出する吸い込み温度センサＴ１と、同じく前記冷気吹き出し口１９から吹き出される冷気の温度を検出する吹き出し温度センサＴ３を設け、各センサＴ１、Ｔ３の各情報を前記コントローラ２３に送るように構成している。そして、前記コントローラ２３では、各センサＴ１、Ｔ３の各情報から、前記機器室１１内における発熱量分布の変動を検出し、前記室内機１６ａ，１６ｂ…の能力制御を１台毎に行い、前記機器室１１内全体の温度をより細かく調節して、空調効率を向上させるようにする。
【００６１】
なお、前記コントローラ２３では、各センサＴ１、Ｔ３の各情報から、前記機器室１１内における発熱量分布の変動を検出して前記室内機１６ａ，１６ｂ…の送風機２２の制御を１台毎に行い、その１台毎の送風機２２の風量を制御することにより、前記機器室１１内全体の温度をより細かく調節して空調効率を向上させるようにすることもできる。
【００６２】
図９は、上記基本構成において、前記機器室１１内における各通路空間１４に面するラック吸い込み面１３ａに向けて吹き出す冷気の温度及びラック１３内への回り込み気流の温度を検出して室内機の風量制御を行う機能を付加した実施例を示す。図９では、前記室内機１６ａ，１６ａ…の前記冷気吹き出し口１９の周辺に該冷気吹き出し口１９から前記通路空間１４に面するラック吸い込み面１３ａに向けて吹き出す冷気の温度を検出する吹き出し温度センサＴ３と、該ラック吸い込み面１３ａから該ラック１３内に流れ込む冷気の温度を検出するラック吸い込み温度センサＴ４を設け、各センサＴ３、Ｔ４の各情報を前記コントローラ２３に送るように構成している。そして、前記コントローラ２３では、各センサＴ３、Ｔ４の各情報から、前記室内機１６ａ，１６ｂ…における送風機２２の風量制御を１台毎に行い、前記機器室１１内全体の温度をより細かく調節して空調効率を向上させるようにする。
【００６３】
なお、本発明は、本発明の精神を逸脱しない限り種々の改変を為すことができ、そして、本発明が該改変されたものに及ぶことは当然である。
【００６４】
例えば、前記機器室１１内の天井部１１ｃとパネル１７の間に天井空間(チャンバー)１８を設ける。また、前記パネル１７に吹き出し口と吸気口を設けるとともに、前記各室内機１６ａ，１６ａ…の前記冷気吹き出し口１９を前記パネル１７の吹き出し口に対応させて、前記チャンバー１８内に前記各室内機１６ａ，１６ａ…をカセット方式で脱着可能に設けるようにした構成とすることも可能である。
【産業上の利用可能性】
【００６５】
本発明は通信・情報処理用の電子機器等、発熱密度の高い電子機器が複数配置されている通信・情報処理用電子機器室等の空調システムに限らず、広く一般の空調システムにも応用できる。
【符号の説明】
【００６６】
１１      通信・情報処理機器室(機器室)
１１ａ    床部
１１ｂ    機器壁部
１１ｃ    天井部
１２      通信・情報処理機器(電子機器)
１３      ラック
１３ａ    ラック吸い込み面
Ｌ１〜Ｌ４    ラック列
１４      通路空間部
１５      通路空間部
１６      エアコン(天井設置型マルチエアコン)
１６ａ    室内機
１６ａ    室外機
１６ｃ    冷媒配管
１６ｄ    電子膨張弁
１６ｅ    冷却コイル
１７      パネル
１８      天井空間
１９      冷気吹き出し口
２０      吸気口
２０ａ    熱交換器
２１      箱形筐体
２２      送風機
２３      コントローラ
２４ａ，２４ｂ  漏れ冷気
Ｔ１      吸い込み温度センサ
Ｔ２      冷媒温度センサ
Ｔ３      吹き出し温度センサ
Ｔ４      ラック吸い込み温度センサ
Ｗ        吸い込み湿度センサ
【図１】
0005855895.tif 000002
【図２】
0005855895.tif 000003
【図３】
0005855895.tif 000004
【図４】
0005855895.tif 000005
【図５】
0005855895.tif 000006
【図６】
0005855895.tif 000007
【図７】
0005855895.tif 000008
【図８】
0005855895.tif 000009
【図９】
0005855895.tif 000010
【図１０】
0005855895.tif 000011
【図１１】
0005855895.tif 000012